(57)【要約】      （修正有）【課題】開封を識別することが出来る、開封識別可能な容器を提供する。【解決手段】主にプラスチック容器１と、蓋板２と、少なくとも一つの第一突出部３と、少なくとも一つの第二突出部４とからなる。プラスチック容器１は、一面が開口し且つ他面が閉口するとともに、プラスチック容器１内部には少なくとも一つのストッパー１１が設けられる。ストッパー１１は、プラスチック容器１内側に周設される。また、プラスチック容器１外周には、第一周辺１２が周設される。蓋板２は、プラスチック容器１の開口面に連結されてプラスチック容器１を封止するとともに、蓋板２外周には第二周辺２１が設けられる。第二周辺２１は、蓋板２に周設されるとともに、第二周辺２１内側には、少なくとも一つの凹状ブロック２２が設けられ、且つ第二周辺２１の長さ・幅は、いずれも第一周辺１２よりも小さい。【選択図】図２
0003201039.tif 000002
【実用新案登録請求の範囲】
【請求項１】
プラスチック容器と、蓋板と、少なくとも一つの第一突出部と、少なくとも一つの第二突出部とからなる、開封識別可能な容器であって、
前記プラスチック容器は、一面が開口し且つ他面が閉口するとともに、前記プラスチック容器内部には少なくとも一つのストッパーが設けられ、
前記ストッパーは、前記プラスチック容器内側に周設され、
更に前記プラスチック容器外周には、第一周辺が周設され、
前記蓋板は、前記プラスチック容器の開口面に連結されて前記プラスチック容器を封止するとともに、前記蓋板外周には第二周辺が設けられ、
前記第二周辺は、前記蓋板に周設されるとともに、前記第二周辺内側には少なくとも一つの凹状ブロックが設けられ、且つ前記第二周辺の長さ・幅は、いずれも前記第一周辺よりも小さく、
少なくとも一つの前記第一突出部は、前記プラスチック容器周辺における所定の位置に設けられるとともに、前記第一突出部の所定の位置には、少なくとも一つの切取部が設けられ、
前記切取部と前記第一突出部がつながる部分には、少なくとも一つの切取ミシン線が設けられ、
前記切取部と前記プラスチック容器の間には、断切部が設けられ、
更に前記切取部の所定の位置には、少なくとも一つの第一連結部が設けられ、
少なくとも一つの前記第二突出部は、前記蓋板周辺における所定の位置に設けられ、
前記第二突出部の所定の位置には、少なくとも一つの第二連結部が設けられ、
更に、前記第一突出部と前記第二突出部が密に嵌合されるように、前記第二連結部と前記第一連結部は、互いにぴったりと合うように設けられることを特徴とする、開封識別可能な容器。
【請求項２】
前記第一突出部は、前記プラスチック容器周辺の一側・一端・角のうちのいずれか一つに設けられるとともに、前記第一突出部の中央部分には、前記切取部が設けられ、
前記第一連結部上部には、凸ブロックが周設され、
前記第二突出部は、前記蓋板周辺の一側・一端・角のうちのいずれか一つに設けられ、
前記第二連結部上部には、嵌合部が周設されることを特徴とする、請求項１に記載の開封識別可能な容器。
【請求項３】
前記第一連結部は、前記切取部の一面上方に設けられ、
前記第二連結部は、前記第二突出部の一面上方に設けられ、
更に、前記第一連結部と前記第二連結部が連結され且つ前記第一突出部と前記第二突出部が互いに密に嵌合されるように、前記凸ブロックと前記嵌合部は、互いにぴったりと合うように設けられることを特徴とする、請求項２に記載の開封識別可能な容器。
【請求項４】
前記プラスチック容器は、円形・台形・四角形・三角形のうちのいずれか一つの形状をなすことを特徴とする、請求項２に記載の開封識別可能な容器。
【請求項５】
前記蓋板は、円形・台形・四角形・三角形のうちのいずれか一つの形状をなすことを特徴とする、請求項２に記載の開封識別可能な容器。
【請求項６】
前記第一連結部は、三角形の凸状ブロックであることを特徴とする、請求項３に記載の開封識別可能な容器。
【請求項７】
前記第二連結部は、三角形の凸状ブロックであることを特徴とする、請求項３に記載の開封識別可能な容器。
【請求項８】
前記第一連結部は、前記切取部の一面下方に設けられるとともに、前記第一連結部下部には、前記嵌合部が周設され、
前記第二連結部は、前記第二突出部の一面下方に設けられるとともに、前記第二連結部下部には、前記凸ブロックが周設され、
更に、前記第一連結部と前記第二連結部が連結され且つ前記第一突出部と前記第二突出部が互いに密に嵌合されるように、前記凸ブロックと前記嵌合部は、互いにぴったりと合うように設けられることを特徴とする、請求項３に記載の開封識別可能な容器。
【請求項９】
前記第一連結部は、円形・四角形・星形・三角形・五角形のうちのいずれか一つの形状をなすことを特徴とする、請求項６に記載の開封識別可能な容器。
【請求項１０】
前記第二連結部は、円形・四角形・星形・三角形・五角形のうちのいずれか一つの形状をなすことを特徴とする、請求項７に記載の開封識別可能な容器。
【考案の詳細な説明】
【技術分野】
【０００１】
本考案は、開封識別可能な容器に関し、特に、プラスチック容器と蓋板が互いに連結されることで第一連結部と第二連結部が互いに結合されるとともに、プラスチック容器周辺に設けられた第一周辺が蓋板周辺に設けられた第二周辺よりも大きいことにより、使用者が勝手に前記蓋板を開けることが出来ず、使用者が前記蓋板を開けようとする場合には、第一突出部における所定の位置に設けられた切取部と、切取部両側に設けられた切取ミシン線と、切取ミシン線とプラスチック容器の間に設けられた断切部によって切取部を切って開けなければならず、以上により、スムーズな蓋板の開封及び開封の識別が出来る、開封識別可能な容器に関する。
【背景技術】
【０００２】
スーパーにおいて、真空成型によるケース体・コップ体・ボウル体といった形状の各種プラスチック容器は、いずれも食物を入れて食品鮮度を保つために非常に適している。この種の製品には通常、透明な素材が使用されているため、消費者が商品を購入する時に中身が一目で分かり、販売後に諍いが起きるのを防いでいる。しかしながら、少なくない数の消費者が、容器内の食品の新鮮さや状態を確かめるため、勝手にプラスチック容器を開封して中を見た上、見終わった後に、商品を元に戻さないこともある。このため、前記プラスチック容器内の食品の鮮度が落ちてしまうだけでなく、前記プラスチック容器が破損して容器の外観に影響を与えてしまう。加えて、容器が開けられたことが早期に発見されなかった場合、前記容器内の食品が変質しやすくなるため、食品の無駄が生じて商店のコスト負担の増加を招いてしまう。
【考案の概要】
【考案が解決しようとする課題】
【０００３】
よって、プラスチック容器が勝手に開けられて、プラスチック容器の外観や食品の鮮度が損なわれるという問題が生じることを防ぐため、本考案者は、主にプラスチック容器と、蓋板と、第一突出部と、第二突出部と、第一連結部と、第二連結部と、切取ミシン線と、断切部とからなり、開封を識別することが出来る、開封識別可能な容器を提供することを目的とする。
【課題を解決するための手段】
【０００４】
上述の目的を達成するために、本考案は、プラスチック容器と、蓋板と、少なくとも一つの第一突出部と、少なくとも一つの第二突出部とからなる。前記プラスチック容器は、一面が開口し且つ他面が閉口するとともに、更に前記プラスチック容器内部には少なくとも一つのストッパーが設けられる。前記ストッパーは、前記プラスチック容器内側に周設される。また、前記プラスチック容器外周には、第一周辺が周設される。
【０００５】
前記蓋板は、前記プラスチック容器の開口面に連結されて前記プラスチック容器を封止するとともに、前記蓋板外周には第二周辺が設けられる。前記第二周辺は、前記蓋板に周設されるとともに、前記第二周辺内側には少なくとも一つの凹状ブロックが設けられ、且つ前記第二周辺の長さ・幅は、いずれも前記第一周辺よりも小さい。
【０００６】
少なくとも一つの前記第一突出部は、前記プラスチック容器周辺における所定の位置に設けられる。前記第一突出部の所定の位置には、少なくとも一つの切取部が設けられ、前記切取部と第一突出部がつながる部分には、少なくとも一つの切取ミシン線が設けられる。前記切取部と前記プラスチック容器の間には、断切部が設けられる。また、前記切取部の所定の位置には、少なくとも一つの第一連結部が設けられる。
【０００７】
少なくとも一つの前記第二突出部は、前記蓋板周辺における所定の位置に設けられる。前記第二突出部の所定の位置には、少なくとも一つの第二連結部が設けられ、前記第二連結部と前記第一連結部が互いにぴったりと合わされることにより、前記第一突出部と前記第二突出部が連結される。
【０００８】
上述のうち、前記第一突出部の中央部には、前記切取部が設けられる。
【０００９】
上述のうち、前記切取部の一面上方には、前記第一連結部が設けられる。
【００１０】
上述のうち、前記第一連結部の上部には、凸ブロックが周設される。前記第一連結部は、三角形の凸状ブロックである。
【００１１】
上述のうち、前記第二突出部の一面上方には、前記第二連結部が設けられる。
【００１２】
上述のうち、前記第二連結部は、三角形の凸状ブロックであるとともに、前記第二連結部上部における内側には、嵌合部が周設される。前記凸ブロックと前記嵌合部が互いに嵌合されることにより、前記第一連結部と前記第二連結部が連結される。
【図面の簡単な説明】
【００１３】
【図１】本考案の外観を示した斜視図である。
【図２】本考案の分解図である。
【図３】本考案の一部を示した概略図である。
【図４】本考案の一部を示した断面図である。
【図５】本考案の使用状態を示した概略図である。
【図６】本考案の使用状態を示した概略図である。
【図７】本考案の実施例２における連結部を示した概略図である。
【図８】本考案の実施例３における突出部を示した概略図である。
【図９】本考案の実施例４を示した概略図である。
【図１０】本考案の実施例５におけるプラスチック容器と蓋板を示した概略図である。
【考案を実施するための形態】
【００１４】
（実施例１）
図１、及び図２を参照する。図は、それぞれ本考案の外観を示した斜視図、及び分解図である。本考案は、主にプラスチック容器１と、蓋板２と、少なくとも一つの第一突出部３と、少なくとも一つの第二突出部４とからなる。プラスチック容器１は、一面が開口し且つ他面が閉口するとともに、プラスチック容器１内部には少なくとも一つのストッパー１１が設けられる。ストッパー１１は、プラスチック容器１内側に周設される。また、プラスチック容器１外周には、第一周辺１２が周設される。
【００１５】
蓋板２は、前記プラスチック容器１の開口面に連結されてプラスチック容器１を封止するとともに、蓋板２外周には第二周辺２１が設けられる。第二周辺２１は、蓋板２に周設されるとともに、第二周辺２１内側には、少なくとも一つの凹状ブロック２２が設けられ、且つ第二周辺２１の長さ・幅は、いずれも第一周辺１２よりも小さい。
【００１６】
少なくとも一つの第一突出部３は、プラスチック容器１周辺における所定の位置に設けられるとともに、第一突出部３の中央部には、少なくとも一つの切取部３１が設けられる。切取部３１と第一突出部３がつながる部分には、少なくとも一つの切取ミシン線３２が設けられる。切取部３１とプラスチック容器１の間には、断切部３３が設けられる。切取部３１の一面上方には、少なくとも一つの第一連結部３４が設けられる。
【００１７】
少なくとも一つの第二突出部４は、蓋板２周辺における所定の位置に設けられるとともに、第二突出部４の一面上方には、少なくとも一つの第二連結部４１が設けられる。第二連結部４１と第一連結部３４が互いにぴったりと合わされることにより、第一突出部３と第二突出部４が連結される。
【００１８】
上述した第一連結部３４の上部には、凸ブロック３４１が周設される。また第一連結部３４は、三角形の凸状ブロックである。
【００１９】
上述した第二連結部４１は、三角形の凸状ブロックであるとともに、第二連結部４１上部における内側には、嵌合部４１１が周設される。凸ブロック３４１と嵌合部４１１が互いに嵌合されることにより、第一連結部３４と第二連結部４１が連結される。
【００２０】
図３、及び図４を参照する。図は、本考案の一部を示した概略図、及び一部を示した断面図である。まず、ストッパー１１と凹状ブロック２２、及び第一周辺１２と第二周辺２１がそれぞれ互いに貼合されることによりプラスチック容器１が封止される。更に、第一連結部３４上部には凸ブロック３４１が周設され、第二連結部４１上部内側には嵌合部４１１が周設され、凸ブロック３４１と嵌合部４１１が互いにぴったりと合わされることで第一連結部３４と第二連結部４１が嵌合される。以上により、第一突出部３と第二突出部４が連結されて、プラスチック容器１と蓋板２が密に嵌合される。
【００２１】
図５、及び図６を参照する。図はいずれも、本考案の使用状態を示した概略図である。まず、第一連結部３４と第二連結部４１が互いに連結されることにより、第一突出部３と第二突出部４が密に嵌合される。使用者が蓋板２を開ける必要がある時には、第一突出部３に下向きの力を加えるとともに、切取部３１に上向きの力を加えることにより、上下の相対する力によって、切取部３１を上向きに起こして切取ミシン線３２に沿って断切部３３まで開ける。切取部３１を起こして完全に開けきった時、蓋板２を自由に開け閉めできるようになる。以上により、開封を識別する効果が得られる。
【００２２】
（実施例２）
図７を参照する。図は、本考案の実施例２における連結部を示した概略図である。第一連結部３４は、切取部３１の一面下方に設けられるとともに、第一連結部３４下部には、嵌合部４１１が周設される。また第二連結部４１は、第二突出部４の一面下方に設けられるとともに、第二連結部４１下部には、凸ブロック３４１が周設される。凸ブロック３４１と嵌合部４１１が互いにぴったりと合わされることで第一連結部３４と第二連結部４１が連結され、これにより、第一突出部３と第二突出部４が互いに密に嵌合される。
【００２３】
（実施例３）
図８を参照する。図は、本考案の実施例３における突出部を示した概略図である。第一突出部３は、プラスチック容器１の一側・一端・角のうちのいずれか一つに設けられる。また第二突出部４も同様に、蓋板２の一側・一端・角のうちのいずれか一つに設けられる。第一連結部３４と第二連結部４１が互いに連結されることで、第一突出部３と第二突出部４が連結され、これにより、上述と同様の効果が得られる。
【００２４】
（実施例４）
図９を参照する。図は、本考案の実施例４を示した概略図である。本考案は、上述した以外の形状をなすことも可能であり、この場合も同様の効果が得られる。
【００２５】
（実施例５）
図１０を参照する。図は、本考案の実施例５におけるプラスチック容器と蓋板を示した概略図である。プラスチック容器１と蓋板２の一側は互いに枢接されることにより、効果的にプラスチック容器１を開封・封止する。
【符号の説明】
【００２６】
１プラスチック容器
１１ストッパー
１２第一周辺
２蓋板
２１第二周辺
２２凹状ブロック
３第一突出部
３１切取部
３２切取ミシン線
３３  断切部
３４第一連結部
３４１凸ブロック
４第二突出部
４１第二連結部
４１１嵌合部 
【図１】
0003201039.tif 000003
【図２】
0003201039.tif 000004
【図３】
0003201039.tif 000005
【図４】
0003201039.tif 000006
【図５】
0003201039.tif 000007
【図６】
0003201039.tif 000008
【図７】
0003201039.tif 000009
【図８】
0003201039.tif 000010
【図９】
0003201039.tif 000011
【図１０】
0003201039.tif 000012
【手続補正書】
【提出日】平成27年9月11日(2015.9.11)
【手続補正１】
【補正対象書類名】実用新案登録請求の範囲
【補正対象項目名】全文
【補正方法】変更
【補正の内容】
【実用新案登録請求の範囲】
【請求項１】
プラスチック容器と、蓋板と、少なくとも一つの第一突出部と、少なくとも一つの第二突出部とからなる、開封識別可能な容器であって、
前記プラスチック容器は、一面が開口し且つ他面が閉口するとともに、前記プラスチック容器内部には少なくとも一つのストッパーが設けられ、
前記ストッパーは、前記プラスチック容器内側に周設され、
更に前記プラスチック容器外周には、第一周辺が周設され、
前記蓋板は、前記プラスチック容器の開口面に連結されて前記プラスチック容器を封止するとともに、前記蓋板外周には第二周辺が設けられ、
前記第二周辺は、前記蓋板に周設されるとともに、前記第二周辺内側には少なくとも一つの凹状ブロックが設けられ、且つ前記第二周辺の長さ・幅は、いずれも前記第一周辺よりも小さく、
少なくとも一つの前記第一突出部は、前記プラスチック容器周辺における所定の位置に設けられるとともに、前記第一突出部の所定の位置には、少なくとも一つの切取部が設けられ、
前記切取部と前記第一突出部がつながる部分には、少なくとも一つの切取ミシン線が設けられ、
前記切取部と前記プラスチック容器の間には、断切部が設けられ、
更に前記切取部の所定の位置には、少なくとも一つの第一連結部が設けられ、
少なくとも一つの前記第二突出部は、前記蓋板周辺における所定の位置に設けられ、
前記第二突出部の所定の位置には、少なくとも一つの第二連結部が設けられ、
更に、前記第一突出部と前記第二突出部が密に嵌合されるように、前記第二連結部と前記第一連結部は、互いにぴったりと合うように設けられることを特徴とする、開封識別可能な容器。
【請求項２】
前記第一突出部は、前記プラスチック容器周辺の一側・一端・角のうちのいずれか一つに設けられるとともに、前記第一突出部の中央部分には、前記切取部が設けられ、
前記第一連結部上部には、凸ブロックが周設され、
前記第二突出部は、前記蓋板周辺の一側・一端・角のうちのいずれか一つに設けられ、
前記第二連結部上部には、嵌合部が周設されることを特徴とする、請求項１に記載の開封識別可能な容器。
【請求項３】
前記第一連結部は、前記切取部の一面上方に設けられ、
前記第二連結部は、前記第二突出部の一面上方に設けられ、
更に、前記第一連結部と前記第二連結部が連結され且つ前記第一突出部と前記第二突出部が互いに密に嵌合されるように、前記凸ブロックと前記嵌合部は、互いにぴったりと合うように設けられることを特徴とする、請求項２に記載の開封識別可能な容器。
【請求項４】
前記プラスチック容器は、円形・台形・四角形・三角形のうちのいずれか一つの形状をなすことを特徴とする、請求項２に記載の開封識別可能な容器。
【請求項５】
前記蓋板は、円形・台形・四角形・三角形のうちのいずれか一つの形状をなすことを特徴とする、請求項２に記載の開封識別可能な容器。
【請求項６】
前記第一連結部は、三角形の凸状ブロックであることを特徴とする、請求項３に記載の開封識別可能な容器。
【請求項７】
前記第二連結部は、三角形の凸状ブロックであることを特徴とする、請求項３に記載の開封識別可能な容器。
【請求項８】
前記第一連結部は、前記切取部の一面下方に設けられるとともに、前記第一連結部下部には、前記嵌合部が周設され、
前記第二連結部は、前記第二突出部の一面下方に設けられるとともに、前記第二連結部下部には、前記凸ブロックが周設され、
更に、前記第一連結部と前記第二連結部が連結され且つ前記第一突出部と前記第二突出部が互いに密に嵌合されるように、前記凸ブロックと前記嵌合部は、互いにぴったりと合うように設けられることを特徴とする、請求項３に記載の開封識別可能な容器。
【請求項９】
前記第一連結部は、円形・四角形・星形・三角形・五角形のうちのいずれか一つの形状をなすことを特徴とする、請求項３に記載の開封識別可能な容器。
【請求項１０】
前記第二連結部は、円形・四角形・星形・三角形・五角形のうちのいずれか一つの形状をなすことを特徴とする、請求項３に記載の開封識別可能な容器。